(57)【要約】【課題】銃身支持部材と銃身との間のクリアランスにより、銃身の回転移動が常に一定とはならず、弾道もずれてしまう。【解決手段】カウンターウェイト４０が銃身１０より上方にあり、支持部位であるリング６１，６２は銃身１０の重心よりもカウンターウェイト４０に近い側に位置している。銃身１０がカウンターウェイト４０の下方にあり、ギア３０の下面側に噛合している関係上、弾丸の発射時に銃身１０が後退すると、ギア３０の円形の表面形状によって銃身１０自体を時計回り方向に回転させようとする力が生じる。銃身１０は重心位置とリング６１とリング６２とから時計周り方向に回転する力を受けて銃身支持部材５０の内周面に対して接しているため、クリアランスにかかわらず、銃身支持部材５０の内部でずれることはない。【選択図】  図１
2017129306.tif 000002
【特許請求の範囲】
【請求項１】
薬室が形成されて軸芯方向に沿って前後動可能な薬室部材と、
この薬室部材を挿通せしめて軸芯方向に沿って前後動可能に支持する薬室部材支持部材と、
前記薬室部材と連結されて発射時の同薬室部材の移動と反対方向に駆動されるカウンターウェイトと、
前記薬室部材の長さ方向の異なる二点で、前記薬室部材支持部材と前記薬室部材とが上方側からと下方側から接する突起状の支持部位を形成してあることを特徴とする低反動銃火器。
【請求項２】
前記薬室部材は、銃身であり、前記薬室部材支持部材は、銃身支持部材であることを特徴とする前記請求項１に記載の低反動銃火器。
【請求項３】
前記薬室部材は、前記薬室と一体的に連結された薬室連結部材を備えており、
前記薬室部材支持部材は、同薬室連結部材を挿通せしめて軸芯方向に沿って前後動可能に支持することを特徴とする前記請求項１または請求項２に記載の低反動銃火器。
【請求項４】
前記薬室部材は、回転式拳銃の回転式弾倉であり、前記薬室部材支持部材は、前記回転式弾倉を軸芯方向に沿って前後動可能に支持する弾倉支持部材であることを特徴とする前記請求項１に記載の低反動銃火器。
【請求項５】
前記連結部材は、前記薬室部材と前記カウンターウェイトにおける互いに対面する側にて一方の動きを他方に反転させて伝える部材を有し、
前記支持部位は、
前記薬室部材に対する前記カウンターウェイトの相対位置と反対の側で前記薬室部材支持部材と前記薬室部材とが接するように突出する第１の支持点と、
前記第１の支持点よりも前記カウンターウェイトとの連結点に近い側であって、同連結点に近い位置で前記薬室部材支持部材と前記薬室部材とが接するように突出する第２の支持点とを備えることを特徴とする前記請求項１〜請求項４のいずれかに記載の低反動銃火器。
【請求項６】
前記カウンターウェイトが前記薬室部材より上方にあり、前記支持部位は前記薬室部材の重心よりも前記カウンターウェイトに近い側にあることを特徴とする前記請求項５に記載の低反動銃火器。
【請求項７】
前記カウンターウェイトが前記薬室部材より下方にあり、前記支持部位は前記薬室部材の重心よりも前記カウンターウェイトから遠い側にあることを特徴とする前記請求項５に記載の低反動銃火器。
【請求項８】
前記突起状の支持部位は、前記薬室部材支持部材の内周面が前記薬室部材に向けて突出していることを特徴とする前記請求項１〜請求項７のいずれかに記載の低反動銃火器。
【請求項９】
前記突起状の支持部位は、前記薬室部材の側が前記薬室部材支持部材の内周面に向けて突出していることを特徴とする前記請求項１〜請求項７のいずれかに記載の低反動銃火器。
【請求項１０】
前記突起状の支持部位は、前記薬室部材支持部材と前記薬室部材との間に設けた別部材を配置して形成されていることを特徴とする前記請求項１〜請求項７のいずれかに記載の低反動銃火器。
【請求項１１】
前記別部材は、ベアリングであることを特徴とする前記請求項１０に記載の低反動銃火器。
【請求項１２】
前記突起状の支持部位は、前記薬室部材の長手方向と直交して２カ所に形成されていることを特徴とする前記請求項１〜前記請求項１１のいずれかに記載の低反動銃火器。
【請求項１３】
前記薬室部材支持部材は、内面が断面六角形であることを特徴とする前記請求項１〜前記請求項１２のいずれかに記載の低反動銃火器。
【請求項１４】
前記薬室部材支持部材は、内面が断面楕円であることを特徴とする前記請求項１〜前記請求項１２のいずれかに記載の低反動銃火器。
【請求項１５】
前記薬室部材支持部材は、内面が断面半楕円であることを特徴とする前記請求項１〜前記請求項１２のいずれかに記載の低反動銃火器。
【請求項１６】
前記薬室部材支持部材は、内面が断面三角形であることを特徴とする前記請求項１〜前記請求項１２のいずれかに記載の低反動銃火器。
【請求項１７】
前記薬室部材支持部材は、内面が断面半三角形であることを特徴とする前記請求項１〜前記請求項１２のいずれかに記載の低反動銃火器。
【請求項１８】
復座バネによって遊底は前記薬室部材に押し当てられており、同遊底と同薬室部材との当接位置を上下方向にずらすことにより、同薬室部材に対して時計回り方向あるいは半時計回り方向への回転駆動力を付勢することを特徴とする前記請求項１〜前記請求項１７のいずれかに記載の低反動銃火器。
【請求項１９】
プランジャにて前記薬室部材を付勢し、前記突起状の支持部位により前記薬室部材を前記薬室部材支持部材に押し付けることを特徴とする前記請求項１〜前記請求項１８のいずれかに記載の低反動銃火器。
【発明の詳細な説明】
【技術分野】
【０００１】
本発明は、低反動銃火器に関し、特に、カウンターウェイトを備えた低反動銃火器に関する。
【背景技術】
【０００２】
オートマティック銃においては、弾丸の発射時の発射ガス圧を利用して銃身やボルトが後退し、次弾の装填を行う。この後退時に反動として大きな衝撃を発生させるため、カウンターウェイトを逆方向に駆動することで反動を低減する銃（低反動銃火器）が、特許文献１などに開示されている。
【０００３】
低反動銃火器の発射時の反動を図２５と図２６に示している。
図２５は、本発明者による低反動銃火器の構成を示す概略図であり、図２６は、同低反動銃火器で生じる弾道のずれの原理を示す概略図である。
銃身１の後方側（図示左方）に遊底２が位置しており、発射直後は発射ガスの圧力を受けて銃身１と遊底２とは一体のまま後退する。銃身１の上面には図示しないラックを形成してあり、このラックとギア３とが螺合している。ギア３は固定位置で回転可能に支持され、上面側でカウンターウェイト４の下面に形成した図示しないラックと噛合している。
【０００４】
銃身１と遊底２の後退により、ギア３は時計回りに回転し、カウンターウェイト４が前方に移動する。すなわち、銃身１と遊底２が後退することにより生じる反動はカウンターウェイト４を前方に駆動せしめる動力源となり、結果的に銃の保持者への反動が解消される。
遊底２と共に銃身１も移動するのは、発射ガスを発射時よりも遅らせて排出しなければならず、所定時間は発射ガスを銃身１内に封じ込めておく必要があり、その短時間は銃身１が移動しなければならないからである。このため、銃身１自体を前後動可能に支持する銃身支持部材５が必要になる。銃身支持部材５は、銃身１のスムーズな移動のためにも、銃身１との間にクリアランスが必要になる。
【０００５】
近年、非常に多く利用されているショートリコイルでは、発射後、発射ガスを放出するタイミングに至ると銃身１が傾動するようになっている。傾動させる必要もあり、前記クリアランスも大きめになる。
【先行技術文献】
【特許文献】
【０００６】
【特許文献１】米国特許出願公開第２０１０／００８８９４２号明細書
【発明の概要】
【発明が解決しようとする課題】
【０００７】
銃身１と銃身支持部材５の間に必須なクリアランスではあるが、クリアランスがあることで銃身支持部材の中で銃身が傾斜すれば軸芯がずれてしまう。図２５に示すように、銃身１がギア３を介してカウンターウェイト４に連結している場合、銃身１が後方に直進移動しようとするとき、銃身１の重心の移動直線とギア３の回転軸芯が交わらない限り、銃身１には図２６に示すように銃身１自体が反時計回り方向に角度Ａだけ回転しようとする。
【０００８】
銃身支持部材５と銃身１との間のクリアランスにより、銃身１の回転移動が常に一定とはならず、弾道もずれてしまう。
本発明は、低反動銃火器に生じやすい弾道のずれを防止する。なお、低反動銃火器は、必ずしもオートマティック銃には限らない。
【課題を解決するための手段】
【０００９】
本発明は、薬室が形成されて軸芯方向に沿って前後動可能な薬室部材と、この薬室部材を挿通せしめて軸芯方向に沿って前後動可能に支持する薬室部材支持部材と、前記薬室部材と連結されて発射時の同薬室部材の移動と反対方向に駆動されるカウンターウェイトと、前記薬室部材の長さ方向の異なる二点で、前記薬室部材支持部材と前記薬室部材とが上方側からと下方側から接する突起状の支持部位を形成した構成としてある。
一例として、前記薬室部材は、銃身であり、前記薬室部材支持部材は、銃身支持部材である。
【００１０】
前記構成において、一例を参考に説明すれば、銃身支持部材は銃身を挿通せしめて支持しており、この銃身を軸芯方向に沿って前後動可能としている。カウンターウェイトは、前記銃身と連結されて発射時の同銃身の移動と反対方向に駆動される。銃身の移動と反対方向にカウンターウェイトを駆動するように連結する関係上、銃身は連結機構によって回転駆動力を受けやすい。
【００１１】
一方、突起状の支持部位は、前記銃身の長さ方向の異なる二点で前記銃身支持部材と前記銃身とが上方側からと下方側から接している。長さ方向の異なる二点で銃身に上方側からと下方側から接するので、回転駆動力を受けても銃身を同支持部材に押し付けるだけとなり、クリアランスがあるとしても弾道がずれにくい。
本発明の他の態様として、前記支持部位は、前記銃身に対するカウンターウェイトの相対位置と反対の側で前記銃身支持部材と前記銃身とが接するように突出する第１の支持点と、前記第１の支持点よりもカウンターウェイトとの連結点に近い側であって、同連結点に近い位置で前記銃身支持部材と前記銃身とが接するように突出する第２の支持点とを備えた構成としても良い。
【００１２】
前記構成において、第１の支持点が、前記銃身に対するカウンターウェイトの相対位置と反対の側で前記銃身支持部材と前記銃身とが接するように突出している状態で、第２の支持点の方が第１の支持点よりもカウンターウェイトとの連結点に近い側であって同連結点に近い位置にある場合、銃身先端が連結点よりも遠い方向に回転しようとしたときには、予め銃身と銃身支持部材とが接しているに等しく、銃身はそれ以上は傾動しない。
従って、銃弾の発射時に、クリアランスがあったとしても銃身は傾動せず、弾道もずれない。
このように薬室あるいは、薬室を含む銃身を傾動させない構成の一例として、前記薬室部材は、前記薬室と一体的に連結された薬室連結部材を備えており、前記薬室部材支持部材は、同薬室連結部材を挿通せしめて軸芯方向に沿って前後動可能に支持することを特徴とする構成としても良い。
同様に、前記薬室部材は、回転式拳銃の回転式弾倉であり、前記薬室部材支持部材は、前記回転式弾倉を軸芯方向に沿って前後動可能に支持する弾倉支持部材として構成しても良い。
【発明の効果】
【００１３】
本発明によれば、低反動銃火器で必要な薬室部材支持部材と薬室との間のクリアランスがある場合でも、発射時の弾道のずれを防止することができる。
【図面の簡単な説明】
【００１４】
【図１】低反動銃火器の構成を示す概略図である。
【図２】銃身支持部材の概略図である。
【図３】銃身の概略図である。
【図４】銃身支持部材と銃身の概略図である。
【図５】銃身支持部材と銃身の接する第２の支持点の状態を示す概略図である。
【図６】銃身支持部材と銃身の接する第１の支持点の状態を示す概略図である。
【図７】変形例にかかる銃身支持部材と銃身の概略図である。
【図８】銃身支持部材と銃身の接する第２の支持点の状態を示す概略図である。
【図９】銃身支持部材と銃身の接する第１の支持点の状態を示す概略図である。
【図１０】変形例にかかる銃身支持部材と銃身の第２の支持点の状態の概略図である。
【図１１】変形例にかかる銃身支持部材と銃身の第１の支持点の状態の概略図である。
【図１２】変形例にかかる銃身支持部材と銃身の第２の支持点の状態の概略図である。
【図１３】変形例にかかる銃身支持部材と銃身の第１の支持点の状態の概略図である。
【図１４】変形例にかかる銃身支持部材と銃身の第２の支持点の状態の概略図である。
【図１５】変形例にかかる銃身支持部材と銃身の第１の支持点の状態の概略図である。
【図１６】変形例にかかる銃身支持部材と銃身の第２の支持点の状態の概略図である。
【図１７】変形例にかかる銃身支持部材と銃身の第１の支持点の状態の概略図である。
【図１８】変形例にかかる低反動銃火器の構成を示す概略図である。
【図１９】変形例にかかる低反動銃火器の構成を示す概略図である。
【図２０】変形例にかかる低反動銃火器の要部構成を示す概略図である。
【図２１】カウンターウェイトの配置の変形例を示す図である。
【図２２】薬室部材の変形例を示す図である。
【図２３】回転式拳銃の概略構成を示す図である。
【図２４】発射時の回転式拳銃の概略構成を示す図である。
【図２５】低反動銃火器の構成を示す概略図である。
【図２６】低反動銃火器で生じる弾道のずれの原理を示す概略図である。
【発明を実施するための形態】
【００１５】
以下、図面にもとづいて本発明の実施形態を説明する。
図１は、本発明の一実施形態にかかる低反動銃火器の構成を示す概略図である。
同図において、
銃身１０の後方側（図示左方）に遊底２０が位置しており、銃身１０の上面には図示しないラックを形成してあり、このラックとギア３０とが螺合している。ギア３０は固定位置で回転可能に支持され、上面側でカウンターウェイト４０の下面に形成した図示しないラックと噛合している。銃身支持部材５０は筒状に形成され、銃身１０を挿通せしめて前後動可能に支持する。銃身１０のスムーズな移動のためにも、銃身支持部材５０と銃身１０との間にはクリアランスが形成されている。
この例では、銃身１０の後端に薬室が形成されることになる。このため、銃身１０が薬室部材に相当し、薬室部材である銃身１０を銃身支持部材５０が軸芯方向に移動可能に支持しているので、銃身支持部材５０が薬室部材支持部材に相当する。
【００１６】
なお、ギア３０は銃身１０の移動をカウンターウェイト４０の反対方向への移動に伝える連結部材となるが、連結部材はこのようなギア３０とラックのみならず、プーリーを介してベルトで連結したり、カムなどで連結することも可能である。この例では、銃身１０とカウンターウェイト４０における互いに対面する面は、銃身１０の上面とカウンターウェイト４０の下面であり、両者のラックとギア３０とが噛合することで、一方の動きを他方に反転させて伝えている。
銃身支持部材５０は全長にわたって筒状である必要はなく、銃身１０が軸芯方向に沿って前後動可能なように支持することができれば、複数の半筒を組み合わせるようにして形成することもできる。
なお、カウンターウェイト４０は、実質的に薬室部材（銃身１０）と連結されて発射時の同薬室部材の移動と反対方向に駆動されるものであればよい。低反動とすることを主目的としていなくても、薬室部材と連結されることで発射時の同薬室部材の移動によって反対方向に駆動されるものであれば、カウンターウェイトの機能を果たすからである。
【００１７】
図２は、銃身支持部材の概略図であり、図３は、銃身の概略図である。
銃身支持部材５０は、軸芯に沿って断面六角形の穴を形成した中空の円柱型としている。銃身１０は、外形が円筒形状であり、内部には弾道となるように軸芯に沿って穴が形成されている。銃身１０の周囲には、所定の間隔をあけて二つのリング６１，６２を装着してある。銃身支持部材５０に形成した六角形を形成する相対向する二つの内周面の間隔はリング６１，６２の外径よりもやや長く、リング６１，６２と内周面との間にはやや隙間が生じている。
【００１８】
六角形の相対向する一対の頂角部が鉛直方向上端と下端とに配置された状態となっている。このため、幅方向において対面する二つの内壁面は鉛直方向となっており、上方には二つの内壁面で山形の天井面を形成し、下方には二つの内壁面で谷形の底面を形成している。
図４は、銃身支持部材と銃身の概略図であり、図５は、銃身支持部材と銃身の接する第２の支持点の状態を示す概略図であり、図６は、銃身支持部材と銃身の接する第１の支持点の状態を示す概略図である。
【００１９】
図１には、銃身１０の重心ＧＣを「＋」として示している。同図に示すように、銃身１０の重心はリング６１，６２よりも先端側に位置する。このため、自然状態において重力を受けることから、前端側のリング６１は下側で銃身支持部材５０の谷形の底面に接し、後端側のリング６２は山形の天井面に接する。これにより、水平方向を基準として、銃身１０と銃身支持部材５０との相対位置は常に一定となる。言い換えると、銃身１０と銃身支持部材５０との間にクリアランスがあるにもかかわらず、銃身支持部材５０を静止させれば、銃身１０は常に一定の向きに保持される。
【００２０】
さらに、銃身支持部材５０の内面が六角形となっている上、銃身１０に装着したリング６１が谷形の底面に押し付けられると、左右方向においても一定の位置となる。例えば、底面が平坦であるとすると、左右方向に斜めに移動することが可能であるが、谷形としているので一定となる。同様に、天井面も山形となっており、リング６２が天井面に押し当てられることで左右方向にぶれることなく一定の位置になる。
以上より、銃身１０は、銃身支持部材５０に対して、水平方向の傾斜角も一定となるし、水平方向において角度は一定となる。
【００２１】
リング６１，６２により、銃身１０の長さ方向の異なる二点で、銃身支持部材５０と銃身１０とが上方側からと下方側から接しており、突起状の支持部位を構成している。突起状というのは、銃身１０の外面と銃身支持部材５０の内周面とが面と面で接しているのではなく、当接する部位を特定させる形状を指しており、リング６１，６２のような別部材を両者の間に介在させることを含んでいる。また、一方の側が他方の側に突き出るような形状も含んでいる。
なお、この場合の異なる二点とは、長さ方向を基準として二点という意味であり、同じ長さ位置で接する部位が複数あったとしても、一点とカウントする。例えば、図５に示すように第２の支持点では現実には同じ長さ位置で銃身１０と銃身支持部材５０とは二点で点接触しているし、図６に示すように第１の支持点でも現実には同じ長さ位置で銃身１０と銃身支持部材５０とは二点で点接触しているので、点接触している部分を数えると四点となる。しかし、それぞれ二点ずつは長さ方向で同じ位置にあるので、この二点については長さ方向の異なる位置とはならない。結局、図５に示す第２の支持点が一点目であり、図６に示す第１の支持点が二点目となり、都合、「銃身１０の長さ方向の異なる二点」となっている。
【００２２】
また、リング６１は下方側にあり、銃身１０に対するカウンターウェイト４０の相対位置は上方側であるから、リング６１はカウンターウェイト４０と反対の側で銃身支持部材５０と銃身１０とが接するように突出する第１の支持点となっている。さらに、リング６２は上方側にあり、第１の支持点であるリング６１よりもカウンターウェイト４０との連結点に近い側に位置し、同連結点に近い位置で銃身支持部材５０と銃身１０とが接するように突出する第２の支持点となっている。
【００２３】
本実施形態の場合、カウンターウェイト４０が銃身１０より上方にあり、支持部位であるリング６１，６２は銃身１０の重心よりもカウンターウェイト４０に近い側に位置している。銃身１０がカウンターウェイト４０の下方にあり、ギア３０の下面側に噛合している関係上、弾丸の発射時に銃身１０が後退すると、ギア３０の円形の表面形状によって銃身１０自体を時計回り方向に回転させようとする力が生じる。すなわち、前のめりになるような力を受ける。しかし、銃身１０は重心位置とリング６１とリング６２とから時計周り方向に回転する力を受けて銃身支持部材５０の内周面に対して接しているため、クリアランスにかかわらず、銃身支持部材５０の内部でずれることはない。水平方向に対する傾斜角もずれない。また、突起状の支持部位に相当するリング６１，６２は、銃身支持部材５０の山形と谷形の内周面に接しており、銃身１０の長手方向と直交して２カ所に接するように形成されている。従って、水平面内で回転するようにずれることもない。
ここで、突起状の支持部位が薬室部材の長さ方向の異なる二点で接するというのは、上述した第１の支持点と第２の支持点とで二点で接していることを表す。本実施例のように、第１の支持点と第２の支持点のそれぞれで二点ずつ接している場合でも四点で接しているというわけではない。薬室部材支持部材の中で薬室部材が傾動しないようにするために、薬室部材の長さ方向の異なる二点で薬室部材支持部材と薬室部材とが接しているという意味である。むろん、この考え方が適用される限りにおいて、「三点」であっても当然に「二点」を含むと言える。
【００２４】
このようにして、弾道がずれてしまうことを防止することができる。なお、突起状の支持部位をリング６１，６２のような断面円形の部材で形成することにより、銃身支持部材５０と接する部位を点接触とすることができ、底摩擦としつつ、一定位置に安定させるといった効果が生じる。
【００２５】
本実施形態では、銃身１０と銃身支持部材５０の他にリング６１，６２を使用しており、突起状の支持部位は、銃身支持部材５０と銃身１０との間に設けた別部材を配置して形成しているといえる。しかし、同様の機能を果たすために、銃身支持部材５０の内周面を銃身１０に向けて突出させることで突起状の支持部位を形成するようにしても良いし、銃身１０の側を銃身支持部材５０の内周面に向けて突出させることで突起状の支持部位を形成するようにしても良い。
【００２６】
図７は、変形例にかかる銃身支持部材と銃身の概略図であり、図８は、銃身支持部材と銃身の接する第２の支持点の状態を示す概略図であり、図９は、銃身支持部材と銃身の接する第１の支持点の状態を示す概略図である。
この変形例では、別部材であるリング６１，６２に代えて、同様の機能をなすベアリング６３，６４を装着している。図ではベアリング６３，６４として二つの鋼球を図示しているだけであるが、モデル的に示しているに過ぎない。鋼球を介して銃身１０と銃身支持部材５０とが底摩擦で接するものであればよく、例えば六角形とした内周面の一面ごとに一つの鋼球が接するようにガイド部材で鋼球を支持するようにしても良いし、銃身１０の外周面に凹部を形成して鋼球を支持したり、銃身支持部材５０の内周面に凹部を形成して鋼球を支持するようにしても良い。
ベアリングを介して銃身１０と銃身支持部材５０とが底摩擦で接するので、銃身１０の移動がスムーズであり、スムーズであることにより、銃身１０のブレ、ひいては弾道のブレを防止することができる。
【００２７】
ベアリング６３と銃身支持部材５０との接点は第１の支持点に相当し、ベアリング６４と銃身支持部材５０との接点は第１の支持点に相当する。
【００２８】
図１０は、変形例にかかる銃身支持部材と銃身の第２の支持点の状態の概略図であり、図１１は、変形例にかかる銃身支持部材と銃身の第１の支持点の状態の概略図である。
この変形例では、内面が六角形の銃身支持部材５０に代えて、内面が断面楕円の銃身支持部材５１を使用している。楕円については、長径方向を鉛直方向に一致させてある。
【００２９】
楕円の長径方向が鉛直方向に一致していることから、第１の支持点に相当するベアリング６３は最も下方で銃身支持部材５１の内面に接し、第２の支持点に相当するベアリング６４は最も上方で銃身支持部材５１の内面に接する。上下に加えて左右方向についても、中心位置になるので、銃身支持部材５１を基準として弾道は上下左右にずれることを防止できる。なお、ベアリング６３，６４に代えてリング６１，６２を使用することも可能である。
【００３０】
図１２〜図１７は、同様に内面が六角形の銃身支持部材５０に代えて、断面形状の変形例に相当する。
図１２は、変形例にかかる銃身支持部材と銃身の第２の支持点の状態の概略図でり、図１３は、同変形例にかかる銃身支持部材と銃身の第１の支持点の状態の概略図である。
図１２と図１３は銃身支持部材５２が完全な筒型を形成せず、少なくともベアリング６３と接する部位と、ベアリング６４と接する部位とに、半楕円の形状となっているものである。他の部位は、筒状となっていても良いし、半楕円の形状が延長されていても良い。
【００３１】
図１４は、他の変形例にかかる銃身支持部材と銃身の第２の支持点の状態の概略図であり、図１５は、変形例にかかる銃身支持部材と銃身の第１の支持点の状態の概略図である。
図１４と図１５は銃身支持部材５３が断面三角形となっており、さらにベアリング６３と接する部位では下に頂角が位置する逆三角形の断面であり、ベアリング６４と接する部位では上に頂角が位置する三角形の断面となっているものである。他の部位の断面形状は断面円形や断面半楕円であっていても良い。
【００３２】
図１６は、他の変形例にかかる銃身支持部材と銃身の第２の支持点の状態の概略図であり、図１７は、変形例にかかる銃身支持部材と銃身の第１の支持点の状態の概略図である。
図１６と図１７は銃身支持部材５４が断面半三角形であるが、主に谷形の底面と、山形の天井面とだけを形成しており、断面半三角形と呼び、断面半楕円と同様である。ベアリング６３と接する部位では谷形の底面を形成し、ベアリング６４と接する部位では山形の天井面を形成している。他の部位の断面形状は断面円形や断面半楕円や断面三角形などであっていても良い。
【００３３】
いずれの変形例においても、銃身支持部材５２〜５４に対する銃身１０の、上下左右方向に対するブレをなくし、弾道が常に一致するようにさせることができる。
【００３４】
図１８は、変形例にかかる低反動銃火器の構成を示す概略図である。
本実施形態の場合、カウンターウェイト４１が銃身１１より下方にある。銃身１１の後方には遊底２１があり、銃身１１はギア３１を介してカウンターウェイト４１に噛合して連結されている。
支持部位であるリング６５，６６は銃身１１の重心よりもカウンターウェイト４１から遠い側に位置している。
【００３５】
ここで、銃身１１に対するカウンターウェイト４１の相対位置と反対の側に位置するのはリング６５であり、リング６５が銃身支持部材５５と銃身１１とが接するように突出する第１の支持点を構成する。また、第１の支持点よりもカウンターウェイト４１との連結点に近い側にあるのはリング６６であり、リング６６が同連結点に近い位置で銃身支持部材５５と銃身１１とが接するように突出する第２の支持点を構成する。
【００３６】
銃身１１の重心よりもリング６５，６６が前端側にあり、重力を受けて銃身１１は反時計回り方向に回転しようとする力を受けるが、リング６５はリング６６よりも前端側に位置するため、リング６５を介して銃身１１は銃身支持部材５５の内面上面に接し、リング６６を介して銃身１１は銃身支持部材５５の内面下面に接した状態となる。敢えて力を加えれば時計回り方向には隙間の分だけ移動するものの反時計回り方向には移動しない。
【００３７】
銃身１１がカウンターウェイト４１の上方にあり、ギア３１の上面側に噛合している関係上、弾丸の発射時に銃身１１が後退すると、ギア３１の円形の表面形状によって銃身１１自体を半時計回り方向に回転させようとする力が生じる。すなわち、後のめりになるような力を受ける。しかし、銃身１１は重心位置とリング６５とリング６６とから半時計周り方向に回転する力を受けて銃身支持部材５５の内周面に対して接しているため、クリアランスにかかわらず、銃身支持部材５５の内部でずれることはない。水平方向に対する傾斜角もずれない。
【００３８】
この例でも突起状の支持部位に相当するリング６５，６６は、銃身支持部材５５の山形と谷形の内周面に接しており、銃身１１の長手方向と直交して２カ所に接するように形成されている。従って、水平面内で回転するようにずれることもない。
このように、カウンターウェイト４１が銃身１１より下方にあり、支持部位であるリング６５，６６は銃身１１の重心よりもカウンターウェイトから遠い側にあることで、発射時の弾道のずれを防止することができる。
【００３９】
図１８に示す例では、銃身１１の重心がリング６５，６６よりもカウンターウェイト４１に近い側にあり、後のめりに回転する力を受けることを利用し、あらかじめ反時計回り方向で銃身１１が銃身支持部材５５に当接するようにしていた。
図１９は、変形例にかかる低反動銃火器の構成を示す概略図である。本実施形態の場合、重心の位置にかかわらず、復座バネ７０が遊底２２を前方に向けて押し出しているが、遊底２２は銃身１２の下方側に当接している。すなわち、銃身１２の上下方向での重心に対して下方側にオフセットした位置を前方に押し出しており、このオフセットによって銃身１２は反時計回り方向へ回転しようとする力を受ける。これにより、図１８に示す例と同様に、カウンターウェイト４１が銃身１２より下方に位置する場合において、同様に発射時の弾道のずれを防止することができる。
【００４０】
このように、復座バネ７０によって遊底２２は銃身１２に押し当てられており、同遊底２２と同銃身１２との当接位置を下方向にずらすことにより、同銃身１２に対して半時計回り方向への回転駆動力を付勢することができる。同様に、同遊底２２と同銃身１２との当接位置を上方向にずらすことにより、同銃身１２に対して時計回り方向への回転駆動力を付勢することもできる。
【００４１】
図２０は、変形例にかかる低反動銃火器の要部構成を示す概略図である。
本実施形態の場合、重心の位置にかかわらず、第１の支持点の側にプランジャ６９を配設してある。ギア３２から遠い側で第１の支持点を構成するリング６７が位置し、ギア３２により近い位置で第２の支持点を構成するリング６８が構成する場合、重心の位置によっては反時計回り方向へ回転してしまい、銃身支持部材の内部で銃身１３がぶれる可能性がある。
【００４２】
しかし、第２の支持点よりもギア３２に近い位置であって、第１の支持点と同様に、銃身１３に対してカウンターウェイト４２と反対の側にプランジャ６９を配置し、プランジャ６９にて銃身１３を第２の支持点の側に向けて押し付けている。これにより、銃身１３は常にリング６７，６８にて銃身支持部材５６に押し付けられる位置に保持される。従って、上述した他の例と同様に発射時の弾道のずれを防止することができる。
【００４３】
このように、プランジャ６９にて銃身１３を付勢し、突起状の支持部位であるリング６７，６８により銃身１３を銃身支持部材５６に押し付けている。この他、磁石を使用して吸引力によって突起状の支持部位であるリング６７，６８により銃身１３を銃身支持部材５６に押し付けるということも可能である。
【００４４】
図２１は、カウンターウェイトの配置の変形例を示す図である。
同図において、カウンターウェイト４０は銃身１０や遊底２０と同じ高さに配置されている。水平方向において横並びとも言える。この例では、プーリー３３とベルト３４で連結部材を形成している。このように、カウンターウェイト４０が銃身１０や遊底２０の上または下に位置する必要はない。
【００４５】
これまで、薬室部材は銃身１０という一つの部材として説明してきた。しかし、薬室部材の発射時に傾動するブレを抑制するためには、薬室部材が一つの部材である必要はなく、薬室に対して薬室連結部材を一体的に連結させたものであってもよい。
図２２は、薬室部材の変形例を示す図である。
この例では、銃身１０と薬室連結部材１４とは別部材であるが、一体的かつ固定的に連結されている。薬室連結部材１４は、銃身１０の後端部分に一体的かつ固定的に連結されている。薬室連結部材１４は、銃身１０の後端から下方に突き出た後、さらに銃身１０の前端側に向けて屈曲されたガイド部位１４ａを有しており、このガイド部位１４ａが銃身支持部材５０に相当する筒状の薬室部材支持部材５７に挿入されている。ガイド部位１４ａは銃身１０と同様に薬室部材支持部材５７内を軸芯方向に前後動可能となっており、リング６１，６２に相当する凸部材８１，８２が装着されて同薬室部材支持部材５７の内周面に対して長さ方向の異なる二点で接している。すなわち、この接点の部分が突起状の支持部位に相当する。
カウンターウェイト４０は図示していないが、発射時の反動で銃身１０が傾動しようとしたとしても、ガイド部位１４ａは薬室部材支持部材５７の内周面に対して凸部材８１，８２で当接しており、この位置関係がガイド部位１４ａや銃身１０の傾動を妨げるようになっている。
【００４６】
さらに、回転式拳銃（以下、単にリボルバーとも呼ぶ）においても、発射時の傾動を防止して弾道がブレないようにすることが可能である。
図２３は、回転式拳銃の概略構成を示す図であり、図２４は、発射時の同回転式拳銃の概略構成を示す図である。
回転式弾倉１５は、薬室を備えており、薬室部材に相当する。銃身１０は回転式弾倉１５とは一体ではない。回転式弾倉１５が発射時に図示しないカウンターウェイトを反対方向に駆動しつつ後退する。回転式弾倉１５が挿通する薬室部材支持部材５７が備えられており、薬室部材支持部材５７の側に凸部材８１，８２が形成されている。同回転式弾倉１５と薬室部材支持部材５７とは、この凸部材８１，８２によって長さ方向の異なる二点で接している。すなわち、この接点の部分が突起状の支持部位に相当する。
このように回転式弾倉１５を備えている場合でも、長さ方向に異なる二点で接する支持部位を形成して発射時の傾動を防ぎ、弾道がぶれないようにすることが可能となる。
【００４７】
なお、本発明は前記実施例に限られるものでないことは言うまでもない。当業者であれば言うまでもないことであるが、
・低反動銃火器は、拳銃、ライフルなど、銃の種類には限定されず、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４８】
１０〜１３…銃身、２０〜２２…遊底、３０〜３２…ギア、４０〜４２…カウンターウェイト、５０〜５６…銃身支持部材、５７…薬室部材支持部材、６１，６２…リング、６３，６４…ベアリング、６５〜６８…リング、６９…プランジャ、７０…復座バネ、８１，８２…凸部材。
【図１】
2017129306.tif 000003
【図２】
2017129306.tif 000004
【図３】
2017129306.tif 000005
【図４】
2017129306.tif 000006
【図５】
2017129306.tif 000007
【図６】
2017129306.tif 000008
【図７】
2017129306.tif 000009
【図８】
2017129306.tif 000010
【図９】
2017129306.tif 000011
【図１０】
2017129306.tif 000012
【図１１】
2017129306.tif 000013
【図１２】
2017129306.tif 000014
【図１３】
2017129306.tif 000015
【図１４】
2017129306.tif 000016
【図１５】
2017129306.tif 000017
【図１６】
2017129306.tif 000018
【図１７】
2017129306.tif 000019
【図１８】
2017129306.tif 000020
【図１９】
2017129306.tif 000021
【図２０】
2017129306.tif 000022
【図２１】
2017129306.tif 000023
【図２２】
2017129306.tif 000024
【図２３】
2017129306.tif 000025
【図２４】
2017129306.tif 000026
【図２５】
2017129306.tif 000027
【図２６】
2017129306.tif 000028